(57)【要約】  【課題】  デバイスの総使用量を正確に集計することができるデバイス管理装置を提供する。  【解決手段】  プリンタ１０４は認証データ記憶部２０１、認証処理部２０２、印刷処理部２０３、通信処理部２０４、更新制御部２０５及び使用量記憶部２０６を備える。使用量記憶部２０６はユーザＩＤ毎に印刷枚数を使用量として記憶すると共に、印刷処理部２０３による印刷枚数の総数を総使用量として記憶する。プリンタ１０４は使用量記憶部２０６に記憶する使用量の変更要求を受け付けると、更新制御部２０５にて前述の総使用量の更新要求か否かを判定し、総使用量の更新要求ならば更新を禁止する。  【選択図】  図２
2006116744.tif 000002
【特許請求の範囲】
【請求項１】
デバイスの総使用量を記憶すると共に、当該デバイスのユーザ毎に使用量を記憶する使用量記憶手段と、
前記使用量記憶手段の記憶内容の変更を要求する変更要求を受け付ける要求受付手段と、
前記変更要求に応じて前記記憶内容を変更する変更手段と、
前記使用量の合計値を前記総使用量から減算した値である差分値を記憶する差分値記憶手段と、
前記変更要求が前記総使用量の変更を要求するものである場合に、前記変更手段に対して変更を禁止する変更禁止手段と
を備えることを特徴とするデバイス管理装置。
【請求項２】
前記差分値記憶手段は、前記変更手段にて前記記憶内容を変更した後に、前記差分値を算出して記憶する
ことを特徴とする請求項１に記載のデバイス管理装置。
【請求項３】
前記変更は、何れかのユーザの使用量の削除である
ことを特徴とする請求項２に記載のデバイス管理装置。
【請求項４】
外部からの要求に応じて、前記使用量記憶手段にて記憶されている使用量を通知する通知手段を備え、
通知した使用量を前記使用量記憶手段に記憶させる変更を要求する変更要求に応じて前記記憶内容を変更した後に、前記差分値記憶手段は前記差分値を算出して記憶する
ことを特徴とする請求項２に記載のデバイス管理装置。
【請求項５】
デバイスを使用するユーザの識別情報を受け付ける識別情報受付手段を備え、
前記使用量記憶手段は、前記識別情報を受け付けると当該使用に応じて当該ユーザの使用量と前記総使用量とを累増させる一方、前記識別情報を受け付けなければ前記総使用量のみを累増させ、
前記差分値記憶手段は、前記識別情報を受け付けずに前記総使用量のみを累増させた後、前記識別情報を受け付けて前記使用量と前記総使用量とを累増させる際に、前記差分値を算出して記憶する
ことを特徴とする請求項２に記載のデバイス管理装置。
【請求項６】
ユーザの識別情報を受け付ける識別情報受付手段と、
前記識別情報を用いた認証が失敗したら、デバイスの使用を禁止する使用禁止手段と
を備えることを特徴とする請求項１に記載のデバイス管理装置。
【請求項７】
デバイスの総使用量を記憶すると共に、当該デバイスのユーザ毎に使用量を記憶する使用量記憶ステップと、
前記使用量記憶ステップにおける記憶内容の変更を要求する変更要求を受け付ける要求受付ステップと、
前記変更要求に応じて前記記憶内容を変更する変更ステップと、
前記使用量の合計値を前記総使用量から減算した値である差分値を記憶する差分値記憶ステップと、
前記変更要求が前記総使用量の変更を要求するものである場合に、前記変更ステップにおける変更を禁止する変更禁止ステップと
を含むことを特徴とするデバイス管理方法。
【請求項８】
デバイスの総使用量を記憶すると共に、当該デバイスのユーザ毎に使用量を記憶する使用量記憶ステップと、
前記使用量記憶ステップにおける記憶内容の変更を要求する変更要求を受け付ける要求受付ステップと、
前記変更要求に応じて前記記憶内容を変更する変更ステップと、
前記使用量の合計値を前記総使用量から減算した値である差分値を記憶する差分値記憶ステップと、
前記変更要求が前記総使用量の変更を要求するものである場合に、前記変更ステップにおける変更を禁止する変更禁止ステップと
をコンピュータに実行させるプログラムを記録したことをコンピュータ読み取り可能な記録媒体。
【発明の詳細な説明】
【技術分野】
【０００１】
本発明は、使用者毎にデバイスの使用量を集計するデバイス管理装置に関し、特に、当該デバイスの総使用量を正確に集計する技術に関する。
【背景技術】
【０００２】
従来、多機能型ディジタル複写機（MFP: Multi Function Peripheral）を複数のユーザに共用させ、各ユーザの使用量に応じて課金する場合、ＭＦＰ毎に使用量の集計がなされていた。しかしながら、近年、ネットワーク技術の普及に伴い、複数のＭＦＰをまとめて管理装置で管理する技術が開発されている（特許文献１）。
このようなＭＦＰは法人の事業所等、大規模な事業所で用いられることが多く、当該事業所に勤務する従業者単位や部署単位で集計、課金がなされる。したがって、従業者の異動や組織改編等によって課金単位が変動した場合には、管理装置に課金単位を登録し直すことによって、当該変動に合わせて集計を行うことができる。
【特許文献１】特願２００４−２５０５９０号公報
【発明の開示】
【発明が解決しようとする課題】
【０００３】
しかしながら、ＭＦＰの使用量に応じた課金は事業所内における経理処理に留まらず、ＭＦＰの運用にも影響する。なせならば、当該法人がＭＦＰの保守契約を結んでいる場合、ＭＦＰの総使用量が一定量に達する毎にトナー等の消耗品を交換するといった保守が必要だからである。このため、ＭＦＰの管理者だけでなく保守者も総使用量を正確に把握する必要がある。このような問題はＭＦＰに限らず、複写機やプリンタといった単機能機にも当てはまる。
【０００４】
本発明は、上述のような問題に鑑みてなされたものであって、デバイスの総使用量を正確に集計することができるデバイス管理装置を提供することを目的とする。
【課題を解決するための手段】
【０００５】
上記目的を達成するため、本発明に係るデバイス管理装置は、デバイスの総使用量を記憶すると共に、当該デバイスのユーザ毎に使用量を記憶する使用量記憶手段と、前記使用量記憶手段の記憶内容の変更を要求する変更要求を受け付ける要求受付手段と、前記変更要求に応じて前記記憶内容を変更する変更手段と、前記使用量の合計値を前記総使用量から減算した値である差分値を記憶する差分値記憶手段と、前記変更要求が前記総使用量の変更を要求するものである場合に、前記変更手段に対して変更を禁止する変更禁止手段とを備えることを特徴とする。
【発明の効果】
【０００６】
このようにすれば、デバイスの総使用量の変更を禁止するので当該総使用量を正確に集計することができる。
本発明に係るデバイス管理装置は、前記差分値記憶手段は、前記変更手段にて前記記憶内容を変更した後に、前記差分値を算出して記憶することを特徴とする。このようにすれば、この場合において、前記変更は、何れかのユーザの使用量の削除であるとしても良い。例えば、ユーザ毎に記憶しているを一部削除した場合にユーザ毎の使用量の総和と総使用量とが齟齬を来たす。
【０００７】
本発明に係るデバイス管理装置は、外部からの要求に応じて、前記使用量記憶手段にて記憶されている使用量を通知する通知手段を備え、通知した使用量を前記使用量記憶手段に記憶させる変更を要求する変更要求に応じて前記記憶内容を変更した後に、前記差分値記憶手段は前記差分値を算出して記憶することを特徴とする。このようにすれば、前記使用量記憶手段にて記憶している使用量を外部装置にバックアップした後、当該外部装置から前記使用量記憶手段にリストアした場合に、当該バックアップとリストアとの間に使用量が変化してもユーザ毎の使用量の総和と総使用量との食い違いを無くすことができる。
【０００８】
本発明に係るデバイス管理装置は、デバイスを使用するユーザの識別情報を受け付ける識別情報受付手段を備え、前記使用量記憶手段は、前記識別情報を受け付けると当該使用に応じて当該ユーザの使用量と前記総使用量とを累増させる一方、前記識別情報を受け付けなければ前記総使用量のみを累増させ、前記差分値記憶手段は、前記識別情報を受け付けずに前記総使用量のみを累増させた後、前記識別情報を受け付けて前記使用量と前記総使用量とを累増させる際に、前記差分値を算出して記憶することを特徴とする。このようにすれば、ユーザ認証を行うか否かを設定により動的に変更することができるデバイスにおいて、ユーザ認証を行わず、したがって、ユーザ毎の使用量の計数も行わない状態でデバイスが使用され、総使用量が増加した場合であっても、ユーザ毎の使用量の総和と総使用量とが食い違うのを避けることができる。
【０００９】
本発明に係るデバイス管理装置は、ユーザの識別情報を受け付ける識別情報受付手段と、前記識別情報を用いた認証が失敗したら、デバイスの使用を禁止する使用禁止手段とを備えることを特徴とする。
本発明に係るデバイス管理方法は、デバイスの総使用量を記憶すると共に、当該デバイスのユーザ毎に使用量を記憶する使用量記憶ステップと、前記使用量記憶ステップにおける記憶内容の変更を要求する変更要求を受け付ける要求受付ステップと、前記変更要求に応じて前記記憶内容を変更する変更ステップと、前記使用量の合計値を前記総使用量から減算した値である差分値を記憶する差分値記憶ステップと、前記変更要求が前記総使用量の変更を要求するものである場合に、前記変更ステップにおける変更を禁止する変更禁止ステップと、を含むことを特徴とする。このようにすれば、本発明の目的を達成することができる。
【００１０】
本発明に係るコンピュータ読み取り可能な記録媒体は、デバイスの総使用量を記憶すると共に、当該デバイスのユーザ毎に使用量を記憶する使用量記憶ステップと、前記使用量記憶ステップにおける記憶内容の変更を要求する変更要求を受け付ける要求受付ステップと、前記変更要求に応じて前記記憶内容を変更する変更ステップと、前記使用量の合計値を前記総使用量から減算した値である差分値を記憶する差分値記憶ステップと、前記変更要求が前記総使用量の変更を要求するものである場合に、前記変更ステップにおける変更を禁止する変更禁止ステップと、をコンピュータに実行させるプログラムを記録したことを特徴とする。このようにすれば、コンピュータに本発明の目的を達成させることができる。
【発明を実施するための最良の形態】
【００１１】
以下、本発明に係るデバイス管理装置の実施の形態について、プリンタシステムを例にとり、図面を参照しながら説明する。
［１］  プリンタシステムの構成
図１は、本実施の形態に係るプリンタシステムの全体構成を示す図である。図１に示されるように、プリンタシステム１は管理端末１０１、複数のユーザ端末１０２及び複数のプリンタ１０４を通信ネットワーク１０３にて接続した構成をとっている。ユーザ端末１０２は通信ネットワーク１０３を介してプリンタ１０４に文書の印刷を要求する。プリンタ１０４は前記要求に応じて印刷処理を実行する。管理端末１０１はユーザ端末１０２によるプリンタ１０４の使用量として印刷枚数を集計する。
【００１２】
［１−２］  プリンタ１０４の構成
図２は、プリンタ１０４の機能構成を示すブロック図である。図２に示されるように、プリンタ１０４は、認証データ記憶部２０１、認証処理部２０２、印刷処理部２０３、通信処理部２０４、更新制御部２０５及び使用量記憶部２０６を備える。通信処理部２０４は通信ネットワーク１０３を介して管理端末１０１やユーザ端末１０２との間でデータを送受信するための機能ブロックである。認証データ記憶部２０１は後述する認証処理部２０２の認証処理に用いる認証データとしてユーザＩＤとパスワードを関連付けて記憶する。
【００１３】
認証処理部２０２は、ユーザ端末１０２から印刷要求と共にログインデータとしてユーザＩＤとパスワードを受け付けると認証処理を実行する。すなわち、当該ユーザＩＤに係るパスワードを認証データ記憶部２０１から読み出して、ユーザ端末１０２からのパスワードと照合する。パスワードが一致したら、認証処理部２０２はユーザＩＤと印刷要求とを印刷処理部２０３に通知する。パスワードが一致しなければ、認証処理部２０２は認証失敗のため印刷要求に応じない旨を要求元のユーザ端末１０２に通知する。
【００１４】
印刷処理部２０３は認証処理部２０２からユーザＩＤと印刷要求とを受け付けると、当該印刷要求に応じた印刷処理を実行する。印刷処理部２０３は印刷処理を完了したら、使用量記憶部２０６にユーザＩＤと印刷枚数とを通知する。
使用量記憶部２０６は印刷処理部２０３から受け付けたユーザＩＤに係る使用量に前記印刷枚数を加算して値を新たな使用量として記憶する。使用量記憶部２０６はユーザＩＤ毎の使用量以外にも総使用量を記憶しており、前記印刷枚数を総使用量に加算した値を新たな総使用量として記憶する。また、使用量記憶部２０６はいずれのユーザＩＤにも対応しない使用量（以下、「パブリック」の使用量という。）も記憶している。
【００１５】
プリンタ１０４は管理端末１０１に認証データ記憶部２０１に記憶されている認証データの変更と使用量記憶部２０６に記憶されている使用量の変更を許可する。ユーザの追加や変更、削除に伴って使用量を変更する必要が生ずる場合があるからである。
更新制御部２０５は、通信ネットワーク１０３、通信処理部２０４及び認証処理部２０２を介して管理端末１０１から使用量記憶部２０６へのアクセス、すなわち、読み出し要求と書き込み要求を受け付ける。この場合において、更新制御部２０５はユーザＩＤ毎の使用量並びにパブリックの使用量については書き込みも読み出しも共に許可するが、総使用量については書き込みを禁止する。
【００１６】
［１−３］  管理端末１０１の構成
管理端末１０１は所謂パーソナルコンピュータであって、ＣＰＵ（Central Processing Unit）、ＲＡＭ（Random Access Memory）、ＲＯＭ（Read Only memory）、ＨＤＤ（Hard Disk Drive）等の外部記憶装置及びプリンタ１０４とデータを送受信するための通信インタフェースを備えている。
【００１７】
管理端末１０１は管理用のユーザＩＤとパスワードをプリンタ１０４に送付して、管理者としてログインする。プリンタ１０４は管理者としてログインされると、更新制御部２０５を介した使用量記憶部２０６へのアクセスを認証処理部２０２にて許可する。
［１−４］  ユーザ端末１０２の構成
ユーザ端末１０２は所謂パーソナルコンピュータであって、ＣＰＵ、ＲＡＭ、ＲＯＭ、ＨＤＤ等の外部記憶装置及びプリンタ１０４とデータを送受信するための通信インタフェースを備えている。
【００１８】
ユーザ端末１０２はプリンタ１０４に印刷要求を送信するとき、併せてユーザＩＤとパスワードを送信する。これらを受信すると、プリンタ１０４は上述の動作を実行する。
［２］  プリンタ１０４の動作
次に、プリンタ１０４の動作を説明する。
［２−１］  印刷動作
図３は、プリンタ１０４がユーザ端末１０２から印刷要求を受け付けた際の動作を表わすフローチャートである。図３に示されるように、プリンタ１０４は通信処理部２０４にてユーザ端末１０２から印刷要求を受け付けると（Ｓ３０１）、認証処理部２０２にて当該印刷要求に添付されているログインデータを取得する（Ｓ３０２）。認証処理部２０２は、認証データ記憶部２０１に記憶されているパスワードのうち、前記ログインデータに含まれているユーザＩＤに対応するパスワードを読み出す（Ｓ３０３）。
【００１９】
認証処理部２０２は、取得したログインデータに含まれるパスワードと認証データ記憶部２０１から読み出したパスワードと照合する。パスワードが一致したら（Ｓ３０４：ＹＥＳ）、印刷処理部２０３にて印刷処理を実行する（Ｓ３０５）。印刷処理が完了したら、使用量記憶部２０６にて記憶している使用量を更新する（Ｓ３０６）。この場合において、使用量記憶部２０６は前記ユーザＩＤに係る使用量に前記印刷処理に係る印刷枚数を加算すると共に、総使用量に当該印刷枚数を加算する。
【００２０】
認証処理部２０２にてパスワードが一致しない場合（Ｓ３０４：ＮＯ）、認証処理部２０２は認証失敗のため印刷要求に応じない旨を要求元のユーザ端末１０２に通知する（Ｓ３０７）。Ｓ３０６又はＳ３０７の処理を完了すると、プリンタ１０４は処理を終了する。
［２−２］  使用量の更新
次に、使用量記憶部２０６に記憶されている使用量を更新するための処理について説明する。
【００２１】
（１）更新要求の受付
図４は、プリンタ１０４が管理端末１０１から使用量の更新要求を受け付けた際の動作を表わすフローチャートである。図４に示されるように、プリンタ１０４は管理端末１０１から使用量の更新要求を受け付けると（Ｓ４０１）、当該更新要求に添付されているログインデータを取得する（Ｓ４０２）。認証処理部２０２は、認証データ記憶部２０１に記憶されているパスワードのうち、前記ログインデータに含まれているユーザＩＤに対応するパスワードを読み出す（Ｓ４０３）。
【００２２】
認証処理部２０２は、取得したログインデータに含まれるパスワードと認証データ記憶部２０１から読み出したパスワードと照合する。パスワードが一致したら（Ｓ４０４：ＹＥＳ）、更新処理を実行する（Ｓ４０５）。
認証処理部２０２にてパスワードが一致しない場合（Ｓ４０４：ＮＯ）、更新処理部２０２は認証失敗のため更新要求に応じない旨を管理端末１０１に通知する（Ｓ４０６）。Ｓ４０５又はＳ４０６の処理を完了すると、プリンタ１０４は処理を終了する。
【００２３】
（２）更新処理（Ｓ４０５）
図５は、プリンタ１０４が実行する更新処理（Ｓ４０５）を表わすフローチャートである。図５に示されるように、管理端末１０１からの更新要求が総使用量の更新の要求である場合には（Ｓ５０１：ＹＥＳ）、更新要求を拒否する旨を管理端末１０１に通知する（Ｓ５０２）。
【００２４】
更新要求がユーザの追加である場合には（Ｓ５０３：ＹＥＳ）、プリンタ１０４は更新要求に係るユーザＩＤとパスワードとを認証データ記憶部２０１に記憶させることによって、ユーザを追加する（Ｓ５０４）。
更新要求がユーザの削除である場合には（Ｓ５０５：ＹＥＳ）、プリンタ１０４は更新要求に係るユーザＩＤとパスワードとを認証データ記憶部２０１から削除することによって、ユーザを削除する（Ｓ５０６）。更に、プリンタ１０４は当該ユーザＩＤに係る使用量を使用量記憶部２０６から削除した後、使用量記憶部２０６に記憶されている使用量の合計が総使用量に一致するようにパブリックの使用量の決定し、使用量記憶部２０６に記憶させる（Ｓ５０７）。
【００２５】
更新要求が使用量記憶部２０６に記憶されている使用量のバックアップである場合には（Ｓ５０８：ＹＥＳ）、使用量記憶部２０６に記憶されているすべての使用量を管理端末１０１に通知する（Ｓ５０９）。当該通知を受けた管理端末１０１はＨＤＤ等の記憶装置に使用量を記録する。
更新要求が使用量のリストアである場合には（Ｓ５１０：ＹＥＳ）、当該更新請求に含まれる使用量を使用量記憶部２０６に記憶させた後（Ｓ５１１）、使用量の合計が総使用量に一致するようにパブリックの使用量を決定し、使用量記憶部２０６に記憶させる（Ｓ５１２）。
【００２６】
（３）調整例
使用量の調整について具体例を示す。
（ａ）ユーザを削除した場合
プリンタ１０４の認証データ記憶部２０１に「Ｕｓｅｒ１」と「Ｕｓｅｒ２」との認証データが記憶されており、これに対応して、使用量記憶部２０６に「Ｕｓｅｒ１」の使用量として１００枚、「Ｕｓｅｒ２」の使用量として２５０枚及びパブリックの使用量として０枚が記憶されている場合を例にとって説明する。この場合において、総使用量は
１００枚  ＋  ２５０枚  ＋  ０枚  ＝  ３５０枚
となっている。
【００２７】
このようなプリンタ１０４に対して管理端末１０１が「Ｕｓｅｒ１」を削除する更新を要求すると、使用量の合計は「Ｕｓｅｒ２」分だけの２５０枚となる。一方、総使用量は３５０枚であるから、その差分の１００枚がパブリックの使用量とされて、使用量と総使用量との整合が図られる（前記Ｓ５０７参照）。
（ｂ）使用量をバックアップした後でリストアした場合
プリンタ１０４の使用量記憶部２０６に記憶されている使用量を管理端末１０１の記憶装置にバックアップし、更にプリンタ１０４で印刷処理を実行した後に管理端末１０１にバックアップした使用量を使用量記憶部２０６にリストアした場合を例にとって説明する。
【００２８】
プリンタ１０４の使用量記憶部２０６には「Ｕｓｅｒ１」の使用量として１００枚、「Ｕｓｅｒ２」の使用量として２５０枚、パブリックの使用量として０枚が記憶されており、総使用量は３５０枚である。これを管理端末１０１の記憶装置にバックアップした後、「Ｕｓｅｒ１」が５０枚分の印刷処理を実行すると、「Ｕｓｅｒ１」の使用量は１５０枚、総使用量は４００枚になる。
【００２９】
更に、この後、管理端末１０１にバックアップした使用量をプリンタ１０４の使用量記憶部２０６にリストアすると、再び「Ｕｓｅｒ１」の使用量が１００枚、「Ｕｓｅｒ２」の使用量が２５０枚、パブリックの使用量が０枚となる。
一方、使用量記憶部２０６が記憶する総使用量は当該リストアによっては書き換えられることがなく４００枚のままなので、パブリックの使用量を５０枚としてこれらを整合させる。
【００３０】
［３］  変形例
以上、本発明を実施の形態に基づいて説明してきたが、本発明が上述の実施の形態に限定されないのは勿論であり、以下のような変形例を実施することができる。
（１）  上記実施の形態においてはプリンタ１０４の更新制御部２０５にて使用量記憶部２０６に記憶されている総使用量を管理端末１０１が更新するのを禁止する場合について説明したが、本発明がこれに限定されないことは言うまでもなく、以下のようにしても良い。
【００３１】
すなわち、プリンタ１０４にて総使用量の更新を禁止するのに代えて、或いはこれに加えて、管理端末１０１にて総使用量の更新を禁止するとしても良い。この場合において、プリンタ１０４に対して総使用量の読み出しコマンドは送信しても更新コマンドは送信しないとしても良いし、そもそも総使用量の更新コマンドを設けないとしても良い。
（２）  上記実施の形態においては専ら管理対象となるデバイスがプリンタである場合について説明したが、本発明がこれに限定されないことは言うまでもなく、これに代えてプリンタ以外のデバイスを管理するとしても良い。例えば、複写機やファクシミリ装置、或いはそのような機能を併せもつＭＦＰが挙げられる。
【００３２】
この場合において、複写機では使用量として複写枚数を記録するとしても良い。また、ファクシミリ装置ではファクシミリの送信枚数と受信枚数とそれぞれを記録し、ＭＦＰでは以上をそれぞれ記録するとしても良い。
図６は、ＭＦＰが記憶する使用量を例示する表である。図６に示されるように、ＭＦＰは、例えば、コピー、プリンタ、ＦＡＸ及びスキャナによる総使用量を計数するトータルカウンタを記憶する。トータルカウンタはトータル、フルカラー、ブラック、モノカラー及び２色の各項目を含む。フルカラーはフルカラー印刷した枚数、ブラックは白黒印刷した枚数、モノカラーはユーザが指定した単色で印刷した枚数、２色はユーザが指定した２色で印刷した枚数を表わす。
【００３３】
この他、図６に係るＭＦＰは、コピートータルカウンタ、コピー大サイズカウンタ、プリンタトータルカウンタ、プリンタ大サイズカウンタ、スキャナカウンタ、スキャナ／ＦＡＸ読取カウンタ、スキャナ／ＦＡＸ読取大サイズカウンタ、スキャナ／ＦＡＸプリントカウンタ、スキャナ／ＦＡＸ大サイズプリントカウンタ、ＦＡＸ送信枚数カウンタ、用紙サイズ別カウンタ、両面カウンタ、原稿枚数カウンタ及び用紙枚数カウンタを記憶する。
【００３４】
また、ひとつのデバイス管理システムにてプリンタと複写機等、異なる機種を混在させても良く、このような場合においても本発明は効果を奏することができる。
（３）  上記実施の形態においては特に言及しなかったが、プリンタ１０４が動作モードとして認証処理部２０２にて認証処理を実行する認証有りモードと、認証処理を経ないで印刷処理を実行するか認証無しモードとを備えており、その何れかを管理端末１０１に指定させる場合には、以下のようにしても良い。
【００３５】
例えば、認証有りモードで使用量記憶部２０６にて記憶されている使用量が「Ｕｓｅｒ１」は１００枚、「Ｕｓｅｒ２」は２５０枚、パブリックは０枚である場合に認証無しモードへ遷移したとする。当該遷移後に印刷処理を５０枚分実行すると、総使用量は５０枚増加して４００枚となるが、他の使用量は認証処理がなされないため更新されない。
その後、プリンタ１０４の動作モードが認証有りモードに遷移すると、その時点でプリンタ１０４はパブリックの使用量を５０枚だけ増加させて使用量を整合させる。このように、プリンタ１０４の動作モードが認証無しモードから認証有りモードに遷移した時点でパブリックの使用量を増加させれば、認証無しモードを有するプリンタ１０４においても使用量を整合させることができる。
【産業上の利用可能性】
【００３６】
本発明に係るデバイス管理装置は、として有用である。
【図面の簡単な説明】
【００３７】
【図１】本発明の実施の形態に係るプリンタシステムの全体構成を示す図である。
【図２】本発明の実施の形態に係るプリンタ１０４の機能構成を示すブロック図である。
【図３】本発明の実施の形態に係るプリンタ１０４が印刷要求を受け付けた際の動作を表わすフローチャートである。
【図４】本発明の実施の形態に係るプリンタ１０４が使用量の更新要求を受け付けた際の動作を表わすフローチャートである。
【図５】本発明の実施の形態に係るプリンタ１０４が実行する更新処理を表わすフローチャートである。
【図６】本発明の変形例（２）に係るＭＦＰが記憶する使用量を例示する表である。
【符号の説明】
【００３８】
１………プリンタシステム
１０１…管理端末
１０２…ユーザ端末
１０３…通信ネットワーク
１０４…プリンタ
２０１…認証データ記憶部
２０２…認証処理部
２０３…印刷処理部
２０４…通信処理部
２０５…更新制御部
２０６…使用量記憶部
【図１】
2006116744.tif 000003
【図２】
2006116744.tif 000004
【図３】
2006116744.tif 000005
【図４】
2006116744.tif 000006
【図５】
2006116744.tif 000007
【図６】
2006116744.tif 000008